(57)【要約】      （修正有）【課題】建築物の跳ねだし部の跳ねだし幅に応じて支柱を立てる位置を調整でき、かつ、安全性および施工性の高い跳ねだしブラケットを提供する。【解決手段】基端部側である一方の端部に主支柱の受け金具に連結される上側連結部１５を有し、他方の端部に副支柱を受ける副支柱受け材１６を有し、上側連結部１５を介して主支柱に連結された状態において該主支柱に対して直角をなす水平材１１と、水平材１１の下方位置で該水平材１１と平行に配置されるとともに該水平材１１から垂下した繋ぎ材２１に固定される補助水平材１２と、上端部において補助水平材１２に固定され、下端部に主支柱の他の受け金具に連結される下側連結部２３を有する斜材１３とを備え、水平材１１および補助水平材１２は、建築物の跳ねだし幅に応じて上側連結部１５に対する副支柱受け材１６の離間距離を調整可能な伸縮機構１１Ｍ，１２Ｍをそれぞれ有する。【選択図】図３
2018035593.tif 000002
【特許請求の範囲】
【請求項１】
基端部において足場の主支柱に設けられた受け金具に支持され、先端部において建築物の跳ねだし部の外側で副支柱を支持する跳ねだしブラケットであって、
前記基端部側である一方の端部に前記主支柱の受け金具に連結される上側連結部を有し、他方の端部に前記副支柱を受ける副支柱受け材を有し、前記上側連結部を介して前記主支柱に連結された状態において該主支柱に対して直角をなす水平材と、
前記水平材の下方位置で該水平材と平行に配置されるとともに該水平材から垂下した繋ぎ材に固定される補助水平材と、
上端部において前記補助水平材に固定され、下端部に前記主支柱の他の受け金具に連結される下側連結部を有する斜材と、を備え、
前記水平材および前記補助水平材は、建築物の跳ねだし幅に応じて前記上側連結部に対する前記副支柱受け材の離間距離を調整可能な伸縮機構をそれぞれ有することを特徴とする跳ねだしブラケット。
【請求項２】
各伸縮機構は、外管材と該外管材に出入自在に挿入された内管材とを有することを特徴とする請求項１に記載の跳ねだしブラケット。
【請求項３】
前記水平材と前記斜材とを前記主支柱に沿って繋ぐ補剛材を備えることを特徴とする請求項１または２に記載の跳ねだしブラケット。
【請求項４】
前記斜材は、その下端部に前記主支柱に沿って延びる垂下片を有し、該垂下片は、その下部に前記下側連結部が配置され、その上部に前記主支柱の側面に当接するストッパが設けられていることを特徴とする請求項１から３までの何れか一項に記載の跳ねだしブラケット。
【請求項５】
前記跳ねだしブラケットは、高架橋の跳ねだし部用のブラケットであり、前記上側連結部に対する前記副支柱受け材の離間距離は１６００ｍｍから２０００ｍｍの範囲内で調整可能であることを特徴とする請求項１から４までの何れか一項に記載の跳ねだしブラケット。
【発明の詳細な説明】
【技術分野】
【０００１】
本発明は、基端部において足場の支柱に設けられた受け金具に支持され、先端部において建築物の跳ねだし部の外側で他の支柱を支持する跳ねだしブラケットに関するものである。
【背景技術】
【０００２】
建築物工事においては、建築物に隣接して支柱を所定間隔毎に配置し、これらの支柱をはり間方向およびけた行方向に布材で連結して仮設足場を組むことが行われている。この際、建築物に跳ねだし部（張出し部）があり、地上から支柱等を立てられない場合には、建築物の途中から外側に跳ねだしブラケット（張出しブラケットともいう。）を取り付けて、この上に足場を構築する手法が一般に用いられている。
【０００３】
跳ねだしブラケットとしては、例えば特許文献１に記載されたものがあり、このブラケットは、基端部に支柱に設けられたソケットに着脱自在に緊結されるくさび片を有し、先端部に他の支柱を支持する外装筒が設けられた水平材と、水平材の中間部下面から基端部方向に向かって斜め下方に延びる補強材とからなるものであり、くさび片を介して水平材を支柱に取り付けるだけで、そのブラケット上への踏板や別の支柱の設置が可能となる。
【先行技術文献】
【特許文献】
【０００４】
【特許文献１】特開２０１０−２７５７７０号公報
【発明の概要】
【発明が解決しようとする課題】
【０００５】
ところが、従来の跳ねだしブラケットは、住宅の軒やベランダ等、跳ねだし幅（突出長さ）の比較的小さな跳ねだし部への使用を前提に設計されており、このような跳ねだしブラケットを、鉄道や道路等の高架橋のような跳ねだし幅の比較的大きい跳ねだし部に適用することはできない。また、跳ねだし部の跳ねだし幅は高架橋毎に異なる場合が多く、この点においても水平材の長さが一定である従来の跳ねだしブラケットは、高架橋への使用に適したものとはいえない。
【０００６】
そのため、従来では、高架橋等の大型の建築物において、跳ねだし部の外側に跳ねだし足場を構築する場合には単管式足場を使用せざるを得ず、具体的には、図７（ａ）に示すように、先ず高架橋Ｂの橋脚Ｂ３に沿って地表から建枠、踏板、筋かい、手摺り等で足場ｐを構築していき、床版Ｂ１の下面の手前まできたところで単管からなる水平材ｐｈをクランプｃにより足場ｐの建枠に固定し、つづいて図７（ｂ）に示すように水平材ｐｈの上に踏板ｇを敷設した後、水平材ｐｈの先端部に単管からなる斜材ｐｔの上端部をクランプｃにより接合するとともにこの斜材ｐｔの下端部を下層側の作業者がクランプｃにより建枠に接合し、次いで図７（ｃ）に示すように、水平材ｐｈの先端部にクランプｃにより単管からなる支柱ｐｖをクランプｃで接合して立設し、そして図７（ｄ）に示すように支柱ｐｖに跳ねだしブラケットｂｒ等を取り付ける手法が採られている。
【０００７】
しかしながら、単管式足場を用いた跳ねだし足場の構築では、跳ねだし幅の大きな跳ねだし部に対応して長い単管を水平に取り付ける必要があるため、施工に手間がかかるとともに危険が伴っていた。また、単管を現場で位置合わせしながら組み上げていくため、跳ねだし足場の設置状況が施工者毎に異なり、跳ねだし足場の強度を含め安全性が異なるおそれもある。
【０００８】
それ故本発明は、上記従来技術の問題を解消し、建築物の跳ねだし部の跳ねだし幅に応じて支柱を立てる位置を調整でき、かつ、安全性および施工性の高い跳ねだしブラケットを提供することを目的とする。
【課題を解決するための手段】
【０００９】
本発明は、基端部において足場の主支柱に設けられた受け金具に支持され、先端部において建築物の跳ねだし部の外側で副支柱を支持する跳ねだしブラケットであって、基端部側である一方の端部に主支柱の受け金具に連結される上側連結部を有し、他方の端部に副支柱を受ける副支柱受け材を有し、上側連結部を介して主支柱に連結された状態において該主支柱に対して直角をなす水平材と、水平材の下方位置で該水平材と平行に配置されるとともに該水平材から垂下した繋ぎ材に固定される補助水平材と、上端部において補助水平材に固定され、下端部に主支柱の他の受け金具に連結される下側連結部を有する斜材と、を備え、水平材および補助水平材は、建築物の跳ねだし幅に応じて上側連結部に対する副支柱受け材の離間距離を調整可能な伸縮機構をそれぞれ有することを特徴とするものである。
【００１０】
なお、本発明の跳ねだしブラケットにあっては、各伸縮機構は、外管材と該外管材に出入自在に挿入された内管材とを有することが好ましい。
【００１１】
また、本発明の跳ねだしブラケットにあっては、水平材と斜材とを主支柱に沿って繋ぐ補剛材を備えることが好ましい。
【００１２】
さらに、本発明の跳ねだしブラケットにあっては、斜材は、その下端部に主支柱に沿って延びる垂下片を有し、該垂下片は、その下部に下側連結部が配置され、その上部に主支柱の側面に当接するストッパが設けられていることが好ましい。
【００１３】
さらに、本発明の跳ねだしブラケットにあっては、跳ねだしブラケットは、高架橋の跳ねだし部用のブラケットであり、上側連結部に対する副支柱受け材の離間距離は１６００ｍｍから２０００ｍｍの範囲内で調整可能であることが好ましい。
【発明の効果】
【００１４】
本発明の跳ねだしブラケットによれば、基端部側である一方の端部に主支柱の受け金具に連結される上側連結部を有し、他方の端部に副支柱を受ける副支柱受け材を有し、上側連結部を介して主支柱に連結された状態において該主支柱に対して直角をなす水平材と、水平材の下方位置で該水平材と平行に配置されるとともに該水平材から垂下した繋ぎ材に固定される補助水平材と、上端部において補助水平材に固定され、下端部に主支柱の他の受け金具に連結される下側連結部を有する斜材とを備えているため、上側連結部および下側連結部を主支柱の受け金具に連結することで跳ねだしブラケットを簡単に設置することができ、優れた作業性を得ることができるとともに設置状況が施工者毎に異なることもない。さらに、水平材の長尺化により懸念される荷重によるたわみ量の増大に対して、跳ねだしブラケットの先端部において水平材および補助水平材による二重の支持構造を採用したことで、先端部におけるたわみを抑制ないし防止することができる。さらに、水平材および補助水平材にそれぞれ、その長さを変更自在とする伸縮機構を設けたことにより、跳ねだし幅の異なる建築物に対しても確実に適合させることができるとともに、地上において予め水平材および補助水平材の長さ調整を行っておくことにより、高所での作業を減らし安全性の更なる向上を図ることができる。
【図面の簡単な説明】
【００１５】
【図１】図１は、本発明の一実施形態の跳ねだしブラケットを用いて、建築物の一例としての高架橋の跳ねだし部の外側に跳ねだし足場を構築した状態を示す図である。
【図２】図２は、本実施形態の跳ねだしブラケットを取り付ける支柱の一部、または本実施形態の跳ねだしブラケットによって支持される支柱の一部を示す斜視図である。
【図３】図３は、図１で示した本発明の一実施形態の跳ねだしブラケットの詳細を示す側面図である。
【図４】図４は、図１で示した本発明の一実施形態の跳ねだしブラケットの詳細を示す正面図である。
【図５】図５は、図１で示した本発明の一実施形態の跳ねだしブラケットを用いた、本発明の一実施形態の跳ねだし足場の構築方法を示した図である。
【図６】図６は、本発明の跳ねだしブラケットにおいて、上側連結部および下側連結部と主支柱との緊結構造の変形例の一例を示す図であり、（ａ）は受け金具の変形例を示し、（ｂ）は（ａ）の受け金具に適合する上側連結部および下側連結部の変形例を示すものである。
【図７】図７は、従来の単管式足場を用いて高架橋の跳ねだし部の外側に跳ねだし足場を構築する手順を示した図である。
【発明を実施するための形態】
【００１６】
以下、本発明の実施の形態を図面に基づき詳細に説明する。ここで図１は、本発明の一実施形態の跳ねだしブラケットを用いて、建築物の一例としての高架橋の跳ねだし部の外側に跳ねだし足場を構築した様子を示す図であり、図２は、本実施形態の跳ねだしブラケットを取り付ける支柱の一部、または本実施形態の跳ねだしブラケットによって支持される支柱の一部を示す斜視図であり、図３は、図１に示した本発明の一実施形態の跳ねだしブラケットの詳細を示す側面図であり、図４は、図１に示した本発明の一実施形態の跳ねだしブラケットの詳細を示す正面図である。
【００１７】
図１に示すように、高架橋Ｂの床版Ｂ１の端部から立ち上がる高欄Ｂ２の外側に沿って跳ねだし足場Ｓｐを構築する場合、跳ねだし足場Ｓｐを支える基礎足場Ｓｂが高架橋Ｂの橋脚Ｂ３に沿って組み立てられる。基礎足場Ｓｂは、垂直方向に沿って配置される複数の支柱（以下、跳ねだし足場Ｓｐの支柱と区別するため「主支柱」という。）ｐ１、各主支柱ｐ１間にそれぞれ水平方向に沿って架け渡される布材ｈおよび踏板ｇのほか、これらの部材間に傾斜姿勢で掛け渡される筋かいや手摺り等を備えている。
【００１８】
図２に示すように、主支柱ｐ１は、金属パイプによって構成されており、その外周面には布材ｈや手摺り、跳ねだしブラケット１０等を連結するための複数の受け金具ｋを有している。図示例では、受け金具ｋは主支柱ｐ１の外周面に四方向にそれぞれ突出するようにして取り付けられた断面コ字形のソケットｋから構成される。各ソケットｋは、その両側壁の先端縁が支柱の外周面に溶接固定されており、ソケットｋの内部は上下方向にそれぞれ開放されている。
【００１９】
図１に示すように、主支柱ｐ１は、高架橋Ｂの床版Ｂ１下面の手前位置まで積み上げられ、該主支柱ｐ１には、高架橋Ｂの跳ねだし部Ｂ４を避けるように外側に向けて跳ねだしブラケット１０が取り付けられている。さらに跳ねだしブラケット１０の先端部には、跳ねだし足場Ｓｐの支柱（以下、区別のため「副支柱」という。）ｐ２が立設されている。副支柱ｐ２も、図２に示すように、主支柱ｐ１と同じ構造であり、その外周面には布材ｈや手摺り等を連結するための複数の受け金具ｋを有している。また、副支柱ｐ２または副支柱ｐ２に連結された布材ｈは、壁つなぎ材ｗを介して高架橋Ｂの高欄Ｂ２に連結、固定されている。
【００２０】
図３は、図１に示した本発明の一実施形態の跳ねだしブラケット１０を示す側面図であり、図４は正面図である。この図に示すように、この跳ねだしブラケット１０は、主として、水平材１１と、補助水平材１２と、斜材１３とを備えている。
【００２１】
水平材１１は、基端部側である一方の端部に主支柱ｐ１の受け金具ｋに連結される上側連結部１５を有し、他方の端部に副支柱ｐ２を受ける副支柱受け材１６を有する。水平材１１は、上側連結部１５を介して主支柱ｐ１に連結された状態では該主支柱ｐ１に対して直角に配置される。上側連結部１５は、断面コ字形をなし、その開放側を外側（主支柱ｐ１側）に向けて水平材１１の端部に固着された差込金具１５ａと、差込金具１５ａ内に昇降自在に保持され、降下時に主支柱ｐ１の外周面と差込金具１５ａとの間に圧入されるくさび１５ｂとを有し、差込金具１５ａを受け金具ｋ内に差し込み、くさび１５ｂを下方に打ち込むことによって水平材１１は主支柱ｐ１に連結される。なお、図１で示した布材ｈ等もこれと同様のくさび緊結方式によって主支柱ｐ１または副支柱ｐ２に連結することができる。
【００２２】
水平材１１は、基端部側の端部に上側連結部１５を有する外管材１１ａと、該外管材１１ａに出入自在に挿入され、先端部側の端部に副支柱受け材１６が固着された内管材１１ｂとから構成される。これらの外管材１１ａおよび内管材１１ｂは、水平材１１の伸縮機構１１Ｍを構成する。内管材１１ｂには固定ボルト１８が螺合され、固定ボルト１８はダブルナット１９により緩み止めされている。これにより、外管材１１ａと内管材１１ｂとの相対位置は固定され、使用時における水平材１１の長さ変動は防止される。
【００２３】
副支柱受け材１６は、短尺の金属パイプによって構成されており、その上端部に副支柱ｐ２の下端部内に挿入されて該副支柱ｐ２を支持する挿入部１６ａを有している。図４に示すように、副支柱受け材１６の中間部外周面には、主支柱ｐ１の受け金具ｋと同様の構造を有する受け金具１６ｃが固着されている。
【００２４】
補助水平材１２は、水平材１１よりも短尺であり、水平材１１の下方位置で該水平材１１と平行に配置されるとともに該水平材１１から垂下した繋ぎ材２１に固着されている。補助水平材１２は、繋ぎ材２１によって水平材１１に支持された外管材１２ａと、該外管材１２ａに出入自在に挿入され、先端部側の端部に副支柱受け材１６が固着された内管材１２ｂとから構成される。これらの外管材１２ａおよび内管材１２ｂは、補助水平材１２の伸縮機構１２Ｍを構成する。
【００２５】
斜材１３は、金属パイプによって構成されており、上端部において補助水平材１２の外管材１２ａに固着されている。斜材１３の下端部には主支柱ｐ１に沿って延びる垂下片１３ａが固設されている。垂下片１３ａには主支柱ｐ１の受け金具ｋに連結される下側連結部２３と、下側連結部２３の上方隣接位置で主支柱ｐ１の外周面に当接可能なストッパ２４とが配設されている。
【００２６】
下側連結部２３は、斜材１３の垂下片１３ａに固定され主支柱ｐ１の受け金具ｋを上下において挟み込む挟持金具２３ａと、この挟持金具２３ａおよび受け金具ｋを上下に貫いてそれらを相互に離脱不能に連結するくさび部材２３ｂとを有している。くさび部材２３ｂにはくさび部材２３ｂの延在方向（上下方向）に沿って延びる縦穴（貫通穴）２３ｃが形成されており、くさび部材２３ｂは、この縦穴２３ｃに挿通されたピン２３ｄを介して挟持金具２３ａに昇降自在に保持されている。
【００２７】
また、本実施形態の跳ねだしブラケット１０においては、水平材１１と斜材１３との間はこれらを上下方向に繋ぐ補剛材２８によって補強され、補助水平材１２と斜材１３との間はこれらを上下方向に繋ぐ束材２９によって補強されている。
【００２８】
このように構成された跳ねだしブラケット１０を用いて、高架橋Ｂの床版Ｂ１の端部から立ち上がる高欄Ｂ２の外側に跳ねだし足場Ｓｐを構築するには、先ず、図５（ａ）に示すように、高架橋Ｂの橋脚Ｂ３に沿って地表から床版Ｂ１下面の手間まで主支柱ｐ１、布材ｈ、踏板ｇ、筋かい、手摺り等で足場（基礎足場）Ｓｂを構築する。
【００２９】
次に、予め地上において水平材１１および補助水平材１２の長さを、伸縮機構１１Ｍ，１２Ｍを介して跳ねだし部Ｂ４の跳ねだし幅を考慮して調整しておき、図５（ａ）に示すように、基礎足場Ｓｂの上層側にいる作業者が跳ねだしブラケット１０をロープ等を用いて引き上げる。
【００３０】
そして図５（ｂ）に示すように、上層側の作業者が跳ねだしブラケット１０の上側連結部１５を主支柱ｐ１の受け金具ｋに連結、固定し、下層側の作業者が跳ねだしブラケット１０の下側連結部２３を主支柱ｐ１の、上側連結部１５が連結された受け金具ｋより下方に位置する他の受け金具ｋに連結、固定する。このとき、斜材１３の下端部に配設されたストッパ２４が当該受け金具ｋに隣接した位置で主支柱ｐ１の外周面に当接するため、下側連結部２３への荷重負荷が軽減されるとともに安定性が図られる。
【００３１】
こうして跳ねだしブラケット１０を主支柱ｐ１に取り付けた後、図５（ｃ）に示すように、跳ねだしブラケット１０の水平材１１に適当な枚数の踏板ｇを架け渡して作業床を形成し、つづいて跳ねだしブラケット１０の先端部に位置する副支柱受け材１６に副支柱ｐ２を立てるとともに、従来の小幅の跳ねだしブラケット４０や踏板ｇ、筋交い、手摺り、壁つなぎ材等を適宜組み付けることで、図１に示すように、高架橋Ｂの高欄Ｂ２の外側に跳ねだし足場Ｓｐが構築される。
【００３２】
以上のように、この跳ねだしブラケット１０を用いて跳ねだし足場Ｓｐを構築する場合、上側連結部１５および下側連結部２３を主支柱ｐ１の受け金具ｋに連結することで跳ねだしブラケット１０を設置することができることから、優れた作業性を得ることができるとともに設置状況が施工者毎に異なることもない。
【００３３】
さらに、水平材１１の長尺化により懸念される荷重によるたわみ量の増大に対して、跳ねだしブラケット１０の先端部において水平材１１および補助水平材１２による二重の支持構造を採用したことで、先端部におけるたわみを抑制ないし防止することができる。このような先端部における特殊な支持構造を備えた跳ねだしブラケット１０は、高架橋用跳ねだしブラケットとして適しており、この場合、上側連結部１５に対する副支柱受け材１６の離間距離を１６００ｍｍから２０００ｍｍの範囲内で調整可能とすると、高架橋Ｂの跳ねだし部Ｂ４に有利に適合させることができる。
【００３４】
さらに、水平材１１および補助水平材１２にそれぞれ、その長さを変更自在とする伸縮機構１１Ｍ，１２Ｍを設けたことにより、跳ねだし幅の異なる建築物に対しても確実に適合させることができるとともに、地上において予め水平材１１および補助水平材１２の長さ調整を行っておくことにより、高所での作業を減らし安全性の向上を図ることができる。
【００３５】
なお、上側連結部１５および下側連結部２３と主支柱ｐ１との緊結構造は、上記実施形態に示されるものだけに限られることはない。例えば、主支柱ｐ１の受け金具ｋを、図６（ａ）に示すようにソケットに代えて係合孔ｋｈ付きのフランジｋ’とするとともに、上側連結部１４および下側連結部２３を、図６（ｂ）に示すようにこの係合孔ｋｈに適合する係合片またはくさび金具３６と、このくさび金具３６に係止される端部金具３７とを有するものとして構成し、上側連結部１５および下側連結部２３と主支柱ｐ１とを緊結させてもよい。
【産業上の利用可能性】
【００３６】
かくして本発明によれば、建築物の跳ねだし部の跳ねだし幅に応じて支柱を立てる位置を調整でき、かつ、安全性および施工性の高い跳ねだしブラケットを提供することができる。
【符号の説明】
【００３７】
１０  跳ねだしブラケット
１１  水平材
１１ａ  外管材
１１ｂ  内管材
１１Ｍ  伸縮機構
１２  補助水平材
１２ａ  外管材
１２ｂ  内管材
１２Ｍ  伸縮機構
１３  斜材
１５  上側連結部
１６  副支柱受け材
２１  繋ぎ材
２３  下側連結部
２４  ストッパ
２８  補剛材
ｐ１  主支柱
ｐ２  副支柱
【図１】
2018035593.tif 000003
【図２】
2018035593.tif 000004
【図３】
2018035593.tif 000005
【図４】
2018035593.tif 000006
【図５】
2018035593.tif 000007
【図６】
2018035593.tif 000008
【図７】
2018035593.tif 000009